(57)【特許請求の範囲】
【請求項１】
ユーザ端末装置と管理サーバとを含む印刷システムであって、
前記ユーザ端末装置は、
章名称を印刷することを示す章アイコンとテンプレートを使用することを示すレイアウトアイコンを備える複数のテンプレートから使用されるテンプレートを選択する選択手段と、
前記選択手段により選択されたテンプレートに含まれる章アイコンを編集対象の原稿において章名称が印刷される位置に挿入し、かつ、前記選択手段により選択されたテンプレートを使用するために前記レイアウトアイコンを前記原稿に挿入する挿入手段と、
前記挿入手段により前記章アイコンと前記レイアウトアイコンとが挿入された前記原稿を前記管理サーバに送信する送信手段とを有し、
前記管理サーバは、
前記送信手段により前記ユーザ端末から送信された前記原稿を前記原稿に配置されたレイアウトテンプレートに対応するテンプレートに従って編集すると共に前記章アイコンが配置された位置に章名称を配置する編集手段を有することを特徴とする印刷システム。
【請求項２】
前記選択手段は、テキスト原稿用にテンプレートを選択し、かつ、図面原稿用のテンプレートを選択し、
前記送信手段は、テンプレート付きのテキスト原稿とテンプレート付きの図面原稿とを送信することを特徴とする請求項１に記載の印刷システム。
【請求項３】
前記編集手段は、前記送信手段によって送信された前記テンプレート付きのテキスト原稿と前記テンプレート付きの図面原稿とを結合することにより印刷原稿データを生成することを特徴とする請求項２に記載の印刷システム。
【請求項４】
前記編集手段によって前記印刷原稿データが生成された後に新たにテンプレート付きテキスト原稿が送信された場合、前記編集手段は、前記新たに送信されたテンプレート付きテキスト原稿と前記印刷原稿データの生成に使用したテンプレート付き図面原稿とを結合することにより新たな印刷原稿データを生成することを特徴とする請求項３に記載の印刷システム。
【請求項５】
前記編集手段によって前記印刷原稿データが生成された後に新たにテンプレート付き図面原稿が送信された場合、前記編集手段は、前記新たに送信されたテンプレート付き図面原稿と前記印刷原稿データの生成に使用したテンプレート付きテキスト原稿とを結合することにより新たな印刷原稿データを生成することを特徴とする請求項３に記載の印刷システム。
【請求項６】
前記選択手段は、複数のテンプレートから前記印刷原稿データに基づく印刷物に適用される製本方法に対応する製本テンプレートを選択することを特徴とする請求項３乃至５のいずれか１項に記載の印刷システム。
【請求項７】
ユーザ端末装置と管理サーバとを含む印刷システムの制御方法であって、
前記ユーザ端末装置は、
章名称を印刷することを示す章アイコンとテンプレートを使用することを示すレイアウトアイコンを備える複数のテンプレートから使用されるテンプレートを選択する選択手順と、
前記選択手順により選択されたテンプレートに含まれる章アイコンを編集対象の原稿において章名称が印刷される位置に挿入し、かつ、前記選択手順により選択されたテンプレートを使用するために前記レイアウトアイコンを前記原稿に挿入する挿入手順と、
前記挿入手順により前記章アイコンと前記レイアウトアイコンとが挿入された前記原稿を前記管理サーバに送信する送信手順とを有し、
前記管理サーバは、
前記送信手段により前記ユーザ端末から送信された前記原稿を前記原稿に配置されたレイアウトテンプレートに対応するテンプレートに従って編集すると共に前記章アイコンが配置された位置に章名称を配置する編集手順を有することを特徴とする制御方法。
【請求項８】
ユーザ端末装置と管理サーバとを含む印刷システムのコンピュータに、
前記ユーザ端末装置が、章名称を印刷することを示す章アイコンとテンプレートを使用することを示すレイアウトアイコンを備える複数のテンプレートから使用されるテンプレートを選択する選択手順と、
前記ユーザ端末装置が、前記選択手順により選択されたテンプレートに含まれる章アイコンを編集対象の原稿において章名称が印刷される位置に挿入し、かつ、前記選択手順により選択されたテンプレートを使用するために前記レイアウトアイコンを前記原稿に挿入する挿入手順と、
前記ユーザ端末装置が、前記挿入手順により前記章アイコンと前記レイアウトアイコンとが挿入された前記原稿を前記管理サーバに送信する送信手順と、
前記管理サーバが、前記送信手段により前記ユーザ端末から送信された前記原稿を前記原稿に配置されたレイアウトテンプレートに対応するテンプレートに従って編集すると共に前記章アイコンが配置された位置に章名称を配置する編集手順とを実行させるためのプログラム。
【発明の詳細な説明】
【０００１】
【発明の属する技術分野】
本発明は、印刷システム、その制御方法及びプログラムに関し、特に、インターネットを利用した製本サービスビジネスに用いて好適なものである。
【０００２】
【従来の技術】
従来より、個人が商業ベースにのらない少数部数の印刷を行う個人出版が行われていた。この場合、原稿作成者である顧客は、ワープロで作成したテキスト原稿及び写真や図を出版社に持ち込み、出版社の編集者に希望のレイアウト、製本形態等を伝え、製本に関わる打ち合わせを何度も行う。次に、出版社側では、この打ち合わせ事項に従って、レイアウトの専門家、デザイナ、校正者により印刷用原稿を作成する。次に、印刷用原稿は、印刷所での試し刷りと原稿作成者（顧客）による修正が繰り返されて最終原稿となり、しかる後に製本所にて製本される。
【０００３】
また、他の製本方法としては、出版社に原稿の編集は委託せず、原稿作成者が最終原稿まで全て作成して自ら最終原稿を製本所に持って行き、製本所では、受け取った原稿を原稿作成者の希望に沿った製本形態で製本していた。
【０００４】
【発明が解決しようとする課題】
しかしながら、上記２つの製本方法には次の問題点がある。前者の製本方法では、製本プロセスごとに多数の専門家を必要とし、発行部数も例えば最低部数が１０００部と下限が決められていた。さらに、原稿を印刷するための印刷システムも高価なものが使用されており、少数部数しか必要としない顧客にとっては、１部あたりの費用負担が大きく、また、発行部数に無駄が生じていた。そのため、顧客は、経済的負担を覚悟で無理に出版したり、または出版自体を諦めることがしばしばあった。
【０００５】
また、後者の製本方法では、最終原稿を作成するまでの多大な手間を顧客が単独で抱えてしまうこと、また、素人では洗練したレイアウト構成とすることが困難であること等が問題点として挙げられる。この場合も同じように途中で出版を諦める顧客も多かった。
【０００６】
一方で、近年、ワープロ、パーソナルコンピュータの急速な普及により、電子情報としては既に多量の原稿を蓄積しているユーザも多い。しかしながら、ほとんどのユーザが、上記問題点が理由となって出版を思いとどまっている。よって、簡易に、安く、自分だけの出版を行いたいという潜在的なニーズは極めて大きいといえる。
【０００７】
従って、本発明は、上記問題点に鑑みてなされたものであり、簡易に、安く、自分だけの出版を行いたいという個人のニーズを満たすため、多数の人手を介さず本を出版することができ、且つ顧客が編集方法及び製本方法を指定できる印刷システム、その制御方法及びプログラムを提供することを目的とする。
【０００８】
【課題を解決するための手段】
本発明の印刷システムは、ユーザ端末装置と管理サーバとを含む印刷システムであって、前記ユーザ端末装置は、章名称を印刷することを示す章アイコンとテンプレートを使用することを示すレイアウトアイコンを備える複数のテンプレートから使用されるテンプレートを選択する選択手段と、前記選択手段により選択されたテンプレートに含まれる章アイコンを編集対象の原稿において章名称が印刷される位置に挿入し、かつ、前記選択手段により選択されたテンプレートを使用するために前記レイアウトアイコンを前記原稿に挿入する挿入手段と、前記挿入手段により前記章アイコンと前記レイアウトアイコンとが挿入された前記原稿を前記管理サーバに送信する送信手段とを有し、前記管理サーバは、前記送信手段により前記ユーザ端末から送信された前記原稿を前記原稿に配置されたレイアウトテンプレートに対応するテンプレートに従って編集すると共に前記章アイコンが配置された位置に章名称を配置する編集手段を有することを特徴とする。
【００３７】
【発明の実施の形態】
以下、本発明の実施の形態を添付図面を参照しながら詳細に説明する。
【００３８】
＜第１の実施形態＞
図１は、本発明の第１の実施形態におけるシステムの機能構成を概略的に示したブロック図である。本実施形態によるシステムの動作を説明する。顧客は、顧客が所有するパーソナルコンピュータ１（以下、顧客ＰＣ１という）上でアプリケーションソフトを用いて、テキスト原稿２及び写真や図などから成る図面原稿３をオフラインで作成する。このとき、テキスト原稿２は、文書のみ（章番号などは除く）をページ順に、また、図面原稿３も掲載する順に一ページ一葉で並べておく。
【００３９】
顧客は、テキスト原稿２や図面原稿３の作成を完了すると、顧客ＰＣ１と受付サイト５とをインターネット４を介して接続し、サーバ６内のデータベース２１から文書テンプレート７、図面テンプレート８、及び製本テンプレート９を顧客ＰＣ１内のハードディスク（ＨＤ）１０内にダウンロードする。
【００４０】
ここで、文書テンプレート７は、文書レイアウトに関する複数のテンプレートで構成され、図面テンプレート８は、写真・図面等の画像レイアウトに関する複数のテンプレートで構成され、製本テンプレート９は、製本方法に関する複数のテンプレートで構成される。製本方法の具体例としては、折り製本、リング製本、及び糊綴じ製本などによる製本方法が挙げられる。各種テンプレートのダウンロードが完了すると、顧客は次の（１）〜（６）の作業を行う。
【００４１】
（１）まず、顧客は、顧客ＰＣ１上に表示される文書テンプレート７を参照して、所望の文書レイアウト（表紙、目次、章立て、縦書き／横書き、行数、行間隔、余白、フォント、文字サイズ、ページ番号情報等）のテンプレートを選択する。顧客は、選択したテンプレートから文書レイアウト情報を示すアイコンをテキスト原稿２上の所定の位置にコピー＆ペーストする（以下、このテキスト原稿をレイアウト情報付きテキスト原稿という）。
【００４２】
（２）次に、顧客は、顧客ＰＣ１上に表示される図面テンプレート８を参照して、所望の画像レイアウト（写真サイズ、１ページ内の写真・図の枚数、ページ上の写真・図の掲載位置、及びタイトル情報等）のテンプレートを選択する。顧客は、選択したテンプレートから画像レイアウト情報を示すアイコンを図面原稿３上の所定の位置にコピー＆ペーストする（以下、この図面原稿をレイアウト情報付き図面原稿という）。
【００４３】
（３）次に、顧客は、レイアウト情報付きテキスト原稿及びレイアウト情報付き図面原稿を印刷指示原稿１１として受付サイト５にアップロードする。受付サイト５は、顧客ＰＣ１から印刷指示原稿１１を受信すると、レイアウト情報付きテキスト原稿及びレイアウト情報付き図面原稿の両レイアウト情報に従って、テキスト原稿２と図面原稿３を編集、結合する。この編集、結合処理は編集ツール１２によって行われ、印刷原稿データが作成される。
【００４４】
編集ツール１２で作成された印刷原稿データは、受付サイト５からハードディスク１０にダウンロードされる。顧客は、顧客ＰＣ１上で印刷原稿を表示させたり、顧客ＰＣ１に外部接続されるプリンタから印刷原稿を出力して、内容を確認する。次に、原稿修正の必要がなければ、当該印刷原稿を最終原稿とする。もし原稿修正の必要があれば、顧客は、再度、文書テンプレート７や図面テンプレート８から所望のテンプレートを選択し、そのレイアウト情報を示すアイコンをテキスト原稿２や図面原稿３に付して顧客ＰＣ１から受付サイト５にアップロードする。
【００４５】
ここで、レイアウト情報付きテキスト原稿のみが顧客ＰＣ１から受付サイト５にアップロードされたときは、編集ツール１２は、当該レイアウト情報付きテキスト原稿、及び、先にアップロードされたレイアウト情報付き図面原稿のレイアウト情報に従って、再度、テキスト原稿２及び図面原稿３を編集、結合する。
【００４６】
一方、レイアウト情報付き図面原稿のみが顧客ＰＣ１から受付サイト５にアップロードされたときは、編集ツール１２は、当該レイアウト情報付き図面原稿、及び、先にアップロードされたレイアウト情報付きテキスト原稿のレイアウト情報に従って、再度、テキスト原稿２及び図面原稿３を編集、結合する。
【００４７】
また、レイアウト情報付きテキスト原稿とレイアウト情報付き図面原稿が顧客ＰＣ１から受付サイト５にアップロードされたときは、編集ツール１２は、当該レイアウト情報付きテキスト原稿及び当該レイアウト情報付き図面原稿のレイアウト情報に従って、再度、テキスト原稿２及び図面原稿３を編集、結合する。
【００４８】
（４）次に、顧客は、顧客ＰＣ１上に表示される製本テンプレート９を参照して、希望する製本方法のテンプレートを選択する。顧客は、希望のテンプレートを選択すると、当該テンプレートから製本方法を示すアイコンを前記最終原稿上の所定の位置にコピー＆ペーストし（以下、この最終原稿を製本情報付き最終原稿という）、顧客ＰＣ１から受付サイト５にアップロードする。
【００４９】
（５）以上で最終原稿作成までの処理が完了し、受付サイト５では、最終原稿の印刷と製本が行われる。受付サイト５では、受信した製本情報付き最終原稿の最終原稿部分を編集ツール１２が最終原稿データ１３としてプリンタ１４に出力し、プリンタ１４で最終原稿を印刷出力する。次に、製本情報付き最終原稿の製本情報はコントローラ１５に転送され、コントローラ１５は、製本情報に基づいて印刷システムの排紙制御装置１６を制御する。
【００５０】
即ち、製本情報が“折り製本”であれば、コントローラ１５は、排紙制御装置に対し、プリンタ１４から排紙された印刷済み用紙を折り機１７に供給するよう指示を出す。また、製本情報が“リング製本”であれば、コントローラ１５は、排紙制御装置１６に対し、プリンタ１４から排紙された印刷済み用紙を鑽孔機１８に供給するよう指示を出し、鑽孔機１８では供給された印刷済み用紙の穴開けが行われ、その後、リング製本がなされる。また、製本情報が“糊綴じ製本”であれば、コントローラ１５は、排紙制御装置１６に対し、印刷済み用紙を所定の部数毎にまとめて糊綴じ製本機１９に供給するよう指示を出す。糊綴じ製本機１９では、所定の部数ごとに印刷済み用紙の糊綴じがなされる。
【００５１】
（６）最後に、最終製本機２０では、必要に応じて表紙を付けたり最終的な加工を行う。最終製本機２０で最終的な製本加工がなされると本は完成し、郵送などで顧客に届けられる。
【００５２】
図２は、受付サイト５からダウンロードされる文書テンプレート７の具体例を示した図であり、図３は、文書テンプレート７上にアイコンで示される各種情報をテキスト原稿２に付加する方法を説明するための図である。
【００５３】
図２（ａ）は、文書レイアウトが横書き二段組の文書テンプレート７、図２（ｂ）は、文書レイアウトが縦書き二段組の文書テンプレート７を示している。各文書テンプレート７には、文書を章で区切るための情報を示す章指定アイコン３１と、文書レイアウト情報を含むレイアウトアイコン３２が添付されている。具体的に、文書レイアウト情報とは、ページ内における文書の行数、行間隔、余白、フォント、文字サイズ、及びページ番号を示す情報で構成される。
【００５４】
例えば、顧客により図２（ａ）に示した文書テンプレート７が選択されたとする。この場合、顧客は、図３（ａ）に示すように、テキスト原稿４１（任意のフォントで作成された「あ＊＊＊＊＊＊＊・・い＊＊＊＊＊＊＊・・」の文字列）の先頭に、図２（ａ）の文書テンプレート７からレイアウトアイコン“レイアウト１”３２をコピー＆ペーストで挿入する。
【００５５】
次に、顧客は、同じく図３（ａ）に示すように、第１章の開始文の直前に第１章を示す章指定アイコン“一章”３１を同様に挿入する。また、各章を更に“節”や“項”で細分化したい場合は、それぞれに対応したアイコンを文書テンプレート７に用意し、同様に該当するアイコンをテキスト原稿４１の所望の位置に挿入させればよい。
【００５６】
また、文書テンプレート７上には、図面・写真などのイメージ原稿をテキスト原稿間に挿入するための図挿入アイコン３４が表示されている。文書のページ間に図面のページを挿入したいときには、図面ページの前に持ってくる文書ページの文書の最後に、図挿入アイコン“図挿入”３４を同様に挿入する（図３（ａ）参照）。
【００５７】
図４は、受付サイト５からダウンロードされる図面テンプレート８の具体例を示した図であり、図５は、図面テンプレート８上にアイコンで示される各種情報をテキスト原稿２に付加する方法を説明するための図である。
【００５８】
図４（ａ）は、図面レイアウトが一段組の図面テンプレート８、図４（ｂ）は、図面レイアウトが二段組の図面テンプレート８を示している。各図面テンプレート８には、図面レイアウト情報を示す図面レイアウトアイコン５１、５２が添付されている。具体的に図面レイアウト情報とは、画像ページ内における各画像の配置位置、ピクセルサイズ、各色ビット数、タイトル情報などを示す情報で構成されている。
【００５９】
例えば、顧客により図４（ｂ）に示した図面テンプレート８が選択されたとする。この場合、顧客は、図５（ａ）に示すように、図面１の図面原稿の先頭に図面レイアウトアイコン“図面レイアウト２”５２をコピー＆ペーストで挿入する。また、各図面１，２にタイトルを付けたい場合などには、それぞれに対応したアイコンを図面テンプレート８に用意し、同様に該当するアイコンを図面原稿５３の所定の位置に挿入させればよい。
【００６０】
顧客は、図３（ａ）のレイアウト情報付きテキスト原稿４２と、図５（ａ）のレイアウト情報付き図面原稿５４を顧客ＰＣ１から受付サイト５にアップロードする。受付サイト５の編集ツール１２は、テキスト原稿４１については、レイアウト情報付きテキスト原稿４２のレイアウト情報に従って、図３（ｂ）に示すページレイアウトで印刷テキスト原稿６１を作成する。また、図面原稿５３については、レイアウト情報付き図面原稿５４のレイアウト情報に従って、図５（ｂ）に示す図面レイアウトで印刷図面原稿６２が作成される。
【００６１】
さらに、編集ツール１２では、図６に示すように、レイアウト情報付きテキスト原稿４２（図３（ａ））上の図挿入アイコン３４の位置に従って、図３（ｂ）の印刷テキスト原稿６１とその後に続く印刷テキスト原稿６３、６４の間に、図５（ｂ）の印刷図面原稿６２を挿入する。
【００６２】
このようにして原稿の編集がなされると、編集後の原稿は受付サイト５から顧客ＰＣ１にダウンロードされ、顧客は原稿内容をチェックする。顧客は、この原稿内容で印刷を行ってよいと判断すると、この原稿が最終原稿となる。一方、顧客が原稿修正の必要があると判断すると、既に説明した（１）〜（３）のプロセスで原稿修正が行われ、修正後の原稿が、受付サイト５から顧客ＰＣ１に再度ダウンロードされる。後は、顧客が修正原稿をチェックし、原稿の修正が必要ないと判断するまで同様の動作が繰り返される。
【００６３】
なお、本実施形態では、受付サイト５の編集ツール１２で原稿の編集を行っているが、本発明では、受付サイト５から予め編集ツール１２を顧客ＰＣ１にダウンロードしておき、受付サイト５から各種テンプレート７、８をダウンロードして顧客ＰＣ１上で原稿の編集が行えるよう構成することもできる。
【００６４】
図７は、受付サイト５からダウンロードされる製本テンプレート９の具体例を示している。顧客は、原稿の編集が完了すると、希望の製本方法を製本テンプレート（ａ）〜（ｃ）から選択する。顧客は、リング製法の製本テンプレート（ｂ）を選択すると、図８に示すように、製本方法がリング製法であることを情報として保有する製本アイコン“リング製本”７２を最終原稿の先頭の位置にコピー＆ペーストする。次に、顧客は、製本アイコン７２付き最終原稿を顧客ＰＣ１から受付サイト５にアップロードする。
【００６５】
この後は、受付サイト５が前記のプロセス（５）、（６）に沿って顧客の希望する製本方法で製本を行う。出来上がった本は顧客に郵送され、所定の規約に従って顧客から製本業者が代金を受け取る。なお、代金の受け渡しは、公知のインターネット上における課金手段、振込み手段などを利用してもよく、また、オフラインによる振込みで行ってもよい。
【００６６】
＜第２の実施形態＞
次に、本発明の第２の実施形態について詳細に説明する。図９は、本実施形態におけるシステム構成を概略的に示したシステム構成図である。上述した第１の実施形態と異なる点は、文書テンプレート、図面テンプレート、製本テンプレート、及び編集ツールがＣＤ−ＲＯＭ等の記録媒体９１に記録され、受付サイト５から顧客にオフラインで送付されるところである。顧客はその記録媒体９１を受け取り、例えば、顧客ＰＣ１のハードディスク（ＨＤ１０）にインストールする。
【００６７】
顧客は、第１の実施形態における（１）から（４）までをオフライン作業で最終原稿を作成し、最終原稿に所望の製本テンプレートを付加した製本情報付き最終原稿を受付サイト５にアップロードする。受付サイト５では、第１の実施形態における（５）以降の処理を行う。
【００６８】
このように構成することにより、本発明は、受付サイト５が顧客に対して上記蓄積媒体を無料で配布し、本システムによるインターネット製本サービスの販売を促進することができる。一方、顧客側にとっても予め本システムの簡易な操作性と仕上がり具合を直に体験できるので、安心して本サービスを申し込むことができる。
【００６９】
尚、上記第１、第２の実施形態において、各テンプレートから原稿にアイコンをコピー＆ペーストするにあたって、各テンプレートと原稿を作成するアプリケーションソフトとの連携性が必要になる。しかし、本発明では、その連携性を保持するために新規な技術を導入しなくてもよい。これは、ＷＩＮＤＯＷＳやＭＡＣなどのＯＳでは、通常、オブジェクトのコピー＆ペースト機能を有しているので、顧客がどのようなアプリケーションソフトで原稿を作成していたとしても、各テンプレートからアイコンを貼り付けることができるからである。
【００７０】
また、本発明における受付サイト５の編集ツール１２は、顧客側から送信される原稿上のアイコンを識別し、各アイコンが持つ情報に基づいて原稿を編集する機能を備えていればよい。さらに、第１、第２の実施形態におけるコントローラ１５も同様に、顧客側から送信される原稿上のアイコンを識別し、その識別結果に基づく排紙制御装置１６の制御ができればよい。このように、本発明による編集ツール１２及びコントローラ１５は、比較的簡単な機能が備えられていればよく、本発明のサーバ６を容易に構成することができる。
【００７１】
さらに以上では、本発明の製本手段として、折り機１４、鑽孔機１８、糊綴じ機１９を例に挙げて説明したが、本発明の製本手段はこれらに限定するものではない。顧客の要求に応じて、例えば、ステープラや、サドルフィニッシャ、その他いかなる処理装置を本発明の製本手段としてもよい。
【００７２】
また、第１の実施形態及び第２の実施形態の印刷システムでは、各処理装置がオンラインで接続されているが、本発明は、各処理装置をオフラインの状態で動作させてもよい。この場合、コントローラ１５は、例えば、最終原稿に付加された製本情報を識別し、その結果を画面上に表示させて、作業員が画面上に表示された識別結果を参照して、手作業でプリンタ１４から出力された原稿を該当する処理装置に振り分けてもよい。
【００７３】
上述した実施形態の機能を実現するべく各種のデバイスを動作させるように、該各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００７４】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記録媒体は本発明を構成する。かかるプログラムコードを記憶する記録媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００７５】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００７６】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００７７】
【発明の効果】
本発明によれば、各種レイアウトに関するテンプレートなどの製本方法情報や、編集ツールなどの編集手段を製本管理サーバに備えることにより、顧客は、通信端末を利用し製本管理サーバにアクセスすれば、上記各製本方法情報及び編集手段を自らの原稿の編集に利用することができる。よって、顧客は、例えば専門家が作成した製本方法情報や編集手段を容易に利用することができ、さらに、この編集作業には人手を必要としないため、簡単・安価に高品質な印刷原稿を作成することができる。
【００７８】
また、本発明によれば、製本管理サーバには、複数の製本方法情報（折り製本、リング製本、糊綴じ製本等）が備えられているので、顧客は所望の製本方法を指定することができる。さらに、プリンタから出力された最終原稿の後処理（鑽孔や糊綴じ）を自動的に行うことができるので、製本コストを大幅に低減することが可能となる。
【００７９】
また、例えばインターネットを介して出版依頼を無人で受け付けることができるため、顧客にとっては敷居が高いとされる個人出版を容易に行えるようになる。
【００８０】
以上の結果、簡易に、安く、自分だけの出版を行いたいという個人のニーズを満たすと同時に、多数の人手を介することのない印刷、製本システムによる簡易製本ビジネスを生み出すことが可能となる。
【図面の簡単な説明】
【図１】本発明の第１の実施形態におけるシステムの機能構成を概略的に示したブロック図である。
【図２】受付サイト５からダウンロードされる文書テンプレート７の具体例を示した図である。
【図３】文書テンプレート７上にアイコンで示される各種情報をテキスト原稿２に付加する方法を説明するための図である。
【図４】受付サイト５からダウンロードされる図面テンプレート８の具体例を示した図である。
【図５】図面テンプレート８上にアイコンで示される各種情報をテキスト原稿２に付加する方法を説明するための図である。
【図６】印刷テキスト原稿６１と、印刷テキスト原稿６３、６４間に印刷図面原稿６２を挿入する方法を説明するための図である。
【図７】受付サイト５からダウンロードされる製本テンプレート９の具体例を示した図である。
【図８】製本アイコン７２の最終原稿への付加作業を具体例に説明するための図である。
【図９】本発明の第２の実施形態におけるシステムの機能構成を概略的に示したブロック図である。
【符号の説明】
１  顧客ＰＣ（通信端末）
２  テキスト原稿
３  図面原稿
４  インターネット
５  受付サイト
６  サーバ（製本管理サーバ）
７  文書テンプレート
８  図面テンプレート
９  製本テンプレート
１０  ハードディスク
１１  印刷指示原稿
１２  編集ツール（編集手段）
１３  最終原稿データ
１４  プリンタ
１５  コントローラ（製本制御手段）
１６  排紙制御装置
１７  折り機
１８  鑽孔機
１９  糊綴じ機
２０  最終製本機
２１  データベース（情報蓄積手段）
３１  章指定アイコン
３２、３３  レイアウトアイコン
３４  図挿入アイコン
４１  テキスト原稿
４２  レイアウト情報付きテキスト原稿
５１、５２  図面レイアウトアイコン
５３  図面原稿
５４  レイアウト情報付き図面原稿
６１、６３、６４  印刷テキスト原稿
６２  印刷図面原稿
７１、７２、７３  製本アイコン
９１  記録媒体
【図１】
0004756760.tif 000002
【図２】
0004756760.tif 000003
【図３】
0004756760.tif 000004
【図４】
0004756760.tif 000005
【図５】
0004756760.tif 000006
【図６】
0004756760.tif 000007
【図７】
0004756760.tif 000008
【図８】
0004756760.tif 000009
【図９】
0004756760.tif 000010